(57)【特許請求の範囲】
【請求項１】
自動焦点機能を有する光学機器であって、
光学系を通過して形成される像の映像信号を生成する映像信号生成手段と、
被写体の輝度情報を取得する輝度情報取得手段と、
前記輝度情報に基づいて増幅特性を決定し、前記増幅特性に従って前記映像信号を増幅する増幅手段と、
前記増幅手段の出力に基づいて前記光学系を駆動して焦点を調整する焦点調整手段と、
を備え、
前記増幅手段は、前記被写体の輝度が第１の輝度である場合の前記映像信号の低周波成分の増幅率と前記映像信号の高周波成分の増幅率との和に対する前記映像信号の高周波成分の増幅率の第１の比率が前記第１の輝度よりも低い第２の輝度である場合の前記映像信号の低周波成分の増幅率と前記映像信号の高周波成分の増幅率との和に対する前記映像信号の高周波成分の増幅率の第２の比率よりも大きくなるように前記増幅特性を決定し、
前記増幅手段は、前記被写体の輝度が高輝度である場合には、前記映像信号の高周波成分の増幅率が前記映像信号の低周波成分の増幅率よりも大きくなるように、前記被写体の輝度が低輝度である場合には、前記映像信号の低周波成分の増幅率が前記映像信号の高周波成分の増幅率よりも大きくなるように、前記増幅特性を決定することを特徴とする光学機器。
【請求項２】
光学系を通過して形成される像の映像信号を生成する映像信号生成手段と、前記映像信号を増幅する増幅手段と、前記増幅手段の出力に基づいて前記光学系を駆動して焦点を調整する焦点調整手段とを備える光学機器の制御プログラムを記録したコンピュータで読み取り可能な記録媒体であって、
前記制御プログラムは、前記コンピュータに、
被写体の輝度情報を取得する輝度情報取得工程と、
前記輝度情報に基づいて前記増幅手段の増幅特性を決定する増幅特性決定工程と、
を実行させ、
前記増幅特性決定工程は、前記被写体の輝度が第１の輝度である場合の前記映像信号の低周波成分の増幅率と前記映像信号の高周波成分の増幅率との和に対する前記映像信号の高周波成分の増幅率の第１の比率が前記第１の輝度よりも低い第２の輝度である場合の前記映像信号の低周波成分の増幅率と前記映像信号の高周波成分の増幅率との和に対する前記映像信号の高周波成分の増幅率の第２の比率よりも大きくなるように前記増幅特性を決定し、
前記増幅特性決定工程は、前記被写体の輝度が高輝度である場合には、前記映像信号の高周波成分の増幅率が前記映像信号の低周波成分の増幅率よりも大きくなるように、前記被写体の輝度が低輝度である場合には、前記映像信号の低周波成分の増幅率が前記映像信号の高周波成分の増幅率よりも大きくなるように、前記増幅特性を決定することを特徴とする記録媒体。
【発明の詳細な説明】
【０００１】
【発明の属する技術分野】
本発明は、自動焦点機能を有する光学機器及びその制御に供する制御プログラムを格納したメモリ媒体に関する。
【０００２】
【従来の技術】
自動焦点（以下、ＡＦともいう）機能を有する光学機器として、例えば、ビデオカメラ、銀塩カメラ、電子スチルカメラ等がある。ＡＦ制御の方法としては、例えば特開昭６２−１０３６１６号等に記載されている。
【０００３】
【発明が解決しようとする課題】
近年、撮影画像の高画質化やレンズの高倍率化が進むと共に、撮影可能な被写体の範囲を広げるためのＡＦ機能の高性能化が要求されている。
【０００４】
しかしながら、従来のＡＦ機能では、合焦させることが容易な被写体と合焦させることが困難な被写体とがあり、被写体によりＡＦ性能にばらつきが存在する。
【０００５】
例えば、高輝度の被写体に適した設定で低輝度の被写体を撮影する場合には、ボケ量が大きい状態（焦点のずれが大きい状態）からのＡＦ動作の開始が鈍く、場合によっては合焦点が見つからないことがある。一方、低輝度の被写体に適した設定で高輝度の被写体を撮影する場合には、合焦状態の近傍の焦点がやや甘い状態でＡＦ動作が停止するという問題がある。
【０００６】
そこで、従来は、高輝度の被写体にも低輝度の被写体にも対応するための折衷的な設定がなされていた。即ち、従来は、被写体の輝度に拘らず、ＡＦ用の信号を一定の条件で処理する。
【０００７】
ところが、上記の折衷的な設定は、被写体条件に応じた最適な設定ではないため、ＡＦ性能を高めるには限界があり、撮影画像の高画質化やレンズの高倍率化等に対応する上で不利である。
【０００８】
本発明は、上記の背景に鑑みてなされたものであり、例えば、被写体条件に影響されにくい自動焦点機能を実現することを目的とする。
【０００９】
【課題を解決しようとする手段】
本発明の第１の側面に係る光学機器は、自動焦点機能を有する光学機器であって、光学系を通過して形成される像の映像信号を生成する映像信号生成手段と、被写体の輝度情報を取得する輝度情報取得手段と、前記輝度情報に基づいて増幅特性を決定し、前記増幅特性に従って前記映像信号を増幅する増幅手段と、前記増幅手段の出力に基づいて前記光学系を駆動して焦点を調整する焦点調整手段と、を備え、前記増幅手段は、前記被写体の輝度が第１の輝度である場合の前記映像信号の低周波成分の増幅率と前記映像信号の高周波成分の増幅率との和に対する前記映像信号の高周波成分の増幅率の第１の比率が前記第１の輝度よりも低い第２の輝度である場合の前記映像信号の低周波成分の増幅率と前記映像信号の高周波成分の増幅率との和に対する前記映像信号の高周波成分の増幅率の第２の比率よりも大きくなるように前記増幅特性を決定し、前記増幅手段は、前記被写体の輝度が高輝度である場合には、前記映像信号の高周波成分の増幅率が前記映像信号の低周波成分の増幅率よりも大きくなるように、前記被写体の輝度が低輝度である場合には、前記映像信号の低周波成分の増幅率が前記映像信号の高周波成分の増幅率よりも大きくなるように、前記増幅特性を決定することを特徴とする。
【００２６】
【発明の実施の形態】
以下、本発明の好適な実施の形態を説明する。なお、本発明は、例えば、ビデオカメラ、銀塩カメラ、電子スチルカメラ等の光学機器に好適に適用され得る。
【００２７】
［第１の実施の形態］
図１は、本発明の好適な第１の実施の形態に係る光学機器の一部を抽出した図である。光学系１は、４つのレンズ群より成る４群構成のリアフォーカスズームレンズである。光学系１は、固定レンズ群である第１レンズ群（前玉）１０１と、移動レンズ群である変倍機能を有する第２レンズ群（バリエータ）１０２と、固定レンズ群である第３レンズ群（アフォーカル）１０３と、フォーカス機能と変倍に伴う結像面変動を補正するコンペンセータとしての機能を併せ持つ移動レンズ群である第４レンズ群１０４とを有する。一般に、上記の各レンズ群は複数枚のレンズで構成されるが、各レンズ群の構成枚数は仕様に応じて自由に決定することができる。なお、光学系１の構成は、本発明を限定するものではなく、他の構成を採用することもできる。
【００２８】
撮像素子２は、例えばＣＣＤ等の光電変換素子を含み、光学系１を通過して形成される像を電気信号に変換する。例えば、本発明をビデオカメラや電子スチルカメラ等の電子カメラに適用する場合には、撮像素子２は、撮影用の撮像素子としても利用することができる。また、例えば、本発明を銀塩カメラに適用する場合には、撮像素子２には、例えば、光学系１とフィルムとの間に配置されるミラーを介して被写体像が導かれる。
【００２９】
ドライバ４は、絞り部材３を駆動して、撮像素子２に入射する光の光量を調節する。例えば、本発明を電子カメラに適用する場合には、ドライバ１１は、例えば、撮像素子２に入射する光の光量が所定範囲内になるように絞り部材３を制御する。また、例えば、本発明を銀塩カメラに適用する場合には、ドライバ１１は、例えば、設定或いは演算された絞り値に従って絞り部材３を制御する。
【００３０】
ドライバ１０及び１１は、各々駆動部８及び９を駆動して移動レンズ群１０２及び１０４を移動させ、倍率及び焦点を調整する。駆動部８及び９は、例えば、ステップモータ等で構成される。
【００３１】
アンプ１２は、撮像素子２の出力信号を増幅して、プロセス回路１３に供給する。プロセス回路１３は、アンプ１２から供給される信号をＮＴＳＣ映像信号等の信号に変換し、更に該信号に基づいてＡＦ用の映像信号（ＡＦ信号）を生成するＡＦ信号生成部１６と、アンプ１２から供給される信号に基づいて輝度信号（例えば、画面内の平均輝度を示す信号）を生成する輝度信号生成部１７とを有する。ＡＦ信号及び輝度信号は、制御部７に供給される。
【００３２】
制御部７は、ＡＦ信号を増幅する増幅部１５と、増幅部１５における増幅特性を決定する増幅特性決定部１８と、増幅部１５によって増幅されたＡＦ信号に従ってドライバ１１を介して移動レンズ群１０４を移動させて焦点を調整するＡＦ部１４とを有する。
【００３３】
増幅特性決定部１８は、輝度信号生成部１７から供給される輝度信号に応じて増幅部１５の増幅特性（例えば、周波数特性）を決定し、その増幅特性で動作するように増幅部１５を制御する。増幅部１５は、ＡＦ信号生成部１６から供給されるＡＦ信号を、増幅特性決定部１８で決定された増幅特性に従って増幅してＡＦ部１４に供給する。
【００３４】
より具体的には、この実施の形態では、増幅特性決定部１８は、ＡＦ信号生成部１６から供給されるＡＦ信号の低周波成分及び高周波成分用の各増幅率を輝度信号に応じて決定し、増幅部１５は、決定に係る各増幅率に従って低周波成分及び高周波成分を増幅する。これにより、被写体の輝度によるＡＦ性能のばらつきを低減することができる。
【００３５】
ここで、ボケ量が大きい場合（焦点のずれ量が大きい場合）は、焦点調整のために光学系を駆動する方向を決定するために、低周波数の映像信号を利用することが有効であり、ボケ量が小さい場合（焦点のずれ量が小さい場合）は、真の合焦位置を見出すために、高周波数の映像信号を利用することが有効である。この実施の形態では、低周波成分及び高周波成分の双方を含む混合信号をＡＦ信号として増幅部１５からＡＦ部１４に供給するため、被写体の輝度によるＡＦ性能のばらつきを低減することができるのみならず、合焦の確率及び精度を高めることができる。
【００３６】
なお、輝度信号生成部１７で生成される輝度信号は、被写体の条件に応じて増幅部１５の増幅特性を変更するための信号（即ち、被写体の条件を示す被写体条件信号）として利用される。この輝度信号に変えて、或いは、この輝度信号に加えて、他の信号（例えば、被写体のコントラストを示す信号）を被写体条件信号として利用してもよい。
【００３７】
ＡＦ部１４におけるＡＦ方式としては、例えば、ＡＦ信号に基づいて被写体像の鮮鋭度を検知し、次いで、焦点調整用の移動レンズ１０４を駆動して再度ＡＦ信号に基づいて被写体像の鮮鋭度を検知し、この時の鮮鋭度の変化に基づいて移動レンズ１０４の駆動方向（移動方向）を決定して移動レンズ１０４を駆動し、以下、被写体像の鮮鋭度が最大になる位置に移動レンズ１０４を駆動する方法等がある。
【００３８】
図２は、被写体が低輝度である場合において、増幅部１５がＡＦ信号を増幅する際の低周波成分の増幅率と高周波成分の増幅率との比率を説明するための図である。図２（ａ）、（ｂ）、（ｅ）は、比率が適切でない場合の例、図２（ｃ）、（ｄ）、（ｆ）は、この実施の形態に基づいて増幅特性設定部１８によって比率が適切に設定された場合の例である。
【００３９】
図２（ｅ）は、低周波成分の増幅率：高周波成分の増幅率が５０％：５０％であることを示している。図２（ａ）は、図２（ｅ）に示す比率の増幅率で低周波成分及び高周波成分が増幅されたＡＦ信号に基づいてＡＦ動作を実行した場合における合焦レベル（例えば、増幅されたＡＦ信号に基づいて算出される被写体像の鮮鋭度）とフォーカス位置（或いは、移動レンズ１０４の位置）との関係を示す例である。図２（ｂ）は、図２（ａ）の○部分を拡大した図である。この○部分は、ボケ量が大きい状態を示している。被写体が低輝度である場合に低周波成分が小さいと、ボケ量が大きい状態では、合焦レベル曲線がフラットであるため、焦点調整用の移動レンズ１０４を至近側に駆動しても無限遠側に駆動しても合焦レベルが変化しないため、該移動レンズ１０４の駆動方向を決定することができない。
【００４０】
そこで、この実施の形態では、被写体が低輝度である場合は、図２（ｆ）に示すように、低周波成分の増幅率の比率が高くなるように、低周波成分の増幅率と高周波成分の増幅率との比率を例えば７０％：３０％に設定する。図２（ｃ）は、図２（ｆ）に示す比率の増幅率で低周波成分及び高周波成分が増幅されたＡＦ信号に基づいてＡＦ動作を実行した場合における合焦レベルとフォーカス位置との関係を示す例である。図２（ｄ）は、図２（ｃ）の○部分を拡大した図である。この○部分は、ボケ量が大きい状態を示している。このように、被写体が低輝度である場合は、図２（ｆ）に示すように、低周波成分の増幅率の比率を高くすることにより、ボケ量が大きい状態においても焦点調整用の移動レンズ１０４の駆動により合焦レベルが変化するため、被写体像を正しく合焦させることができる。
【００４１】
図３は、被写体が高輝度である場合において、増幅部１５がＡＦ信号を増幅する際の低周波成分の増幅率と高周波成分の増幅率との比率を説明するための図である。図３（ａ）、（ｂ）、（ｅ）は、比率が適切でない場合の例、図３（ｃ）、（ｄ）、（ｆ）は、この実施の形態に基づいて増幅特性設定部１８によって比率が適切に設定された場合の例である。
【００４２】
図３（ｅ）は、低周波成分の増幅率：高周波成分の増幅率が５０％：５０％であることを示している。図３（ａ）は、図３（ｅ）に示す比率の増幅率で低周波成分及び高周波成分が増幅されたＡＦ信号に基づいてＡＦ動作を実行した場合における合焦レベルとフォーカス位置との関係を示す例である。図３（ｂ）は、図３（ａ）の○部分を拡大した図である。この○部分は、合焦状態の近傍を示している。被写体が高輝度である場合に高周波成分が小さいと、合焦状態の近傍では、合焦レベル曲線がフラットであるため、焦点調整用の移動レンズ１０４を至近側に駆動しても無限遠側に駆動しても合焦レベルが変化しないため、真の合焦位置を判定することができない。なお、被写体が高輝度である場合は、ボケ量が大きい場合においても、光学系の駆動方向を決定することができる。
【００４３】
そこで、この実施の形態では、被写体が高輝度である場合は、図３（ｆ）に示すように、高周波成分の増幅率の比率が高くなるように、低周波成分の増幅率と高周波成分の増幅率との比率を例えば３０％、７０％に設定する。図３（ｃ）は、図３（ｆ）に示す比率の増幅率で低周波成分及び高周波成分が増幅されたＡＦ信号に基づいてＡＦ動作を実行した場合における合焦レベルとフォーカス位置との関係を示す例である。図３（ｄ）は、図３（ｃ）の○部分を拡大した図である。この○部分は、合焦状態の近傍を示している。このように、被写体が高輝度である場合は、図３（ｆ）に示すように、高周波成分の増幅率の比率を高くすることにより、真の合焦位置を判定することができる。
【００４４】
図４は、増幅特性決定部１８及び増幅部１５における処理を概念的に示す図である。図４中の（ｃ）、（ａ）、（ｂ）は、各々、プロセス回路１３のＡＦ信号生成部１６で生成されるＡＦ信号、該ＡＦ信号の低周波成分、該ＡＦ信号の高周波成分である。
【００４５】
図４に示す例では、増幅特性決定部１８は、輝度信号生成部１７から供給される輝度信号に基づいて低周波成分用の増幅率を６ｄＢ、高周波成分用の増幅率を４ｄＢに決定する。
【００４６】
図４中の（ｄ）は、増幅部１５において、（ａ）に示す低周波成分を低周波成分用の増幅率（６ｄＢ）で増幅した信号であり、（ｅ）は、（ｂ）に示す高周波成分を高周波成分用の増幅率（４ｄＢ）で増幅した信号である。また、（ｆ）は、（ｄ）及び（ｅ）に示す信号を増幅部１５において混合した信号であり、最終的にＡＦ部１４に供給されるＡＦ信号である。
【００４７】
低周波成分用の増幅率及び高周波成分用の増幅率は、例えば、不図示のメモリに格納されたテーブルに基づいて決定してもよいし、制御プログラムに組み込まれた関数（輝度を変数とする関数）に基づいて演算を実行することによって決定してもよいし、他の方法によって決定してもよい。
【００４８】
また、低周波成分用の増幅率及び高周波成分用の増幅率は、被写体の輝度情報（即ち、輝度信号生成部１７から供給される輝度信号）の他、他の情報をも考慮して決定してもよいし、輝度情報以外の情報に基づいて決定してもよい。
【００４９】
図５は、低周波成分用の増幅率及び高周波成分用の増幅率の設定例を示す図である。この例では、被写体が高輝度になるにつれて、高周波成分の増幅率の比率（［高周波成分の増幅率］／（［高周波成分の増幅率］＋［低周波成分の増幅率］））を高くする。
【００５０】
図６は、制御部７の動作の流れを示すフローチャートである。ステップＳ１１では、増幅特性決定部１８に、輝度信号生成部１７から輝度信号を読み込ませ、ステップＳ１２では、増幅特性決定部１８に、輝度信号に基づいて低周波成分及び高周波成分の各増幅率を決定させ（結果として２つの増幅率の比率が決定される）、その決定に係る各増幅率を増幅部１５に設定する。
【００５１】
ステップＳ１３では、増幅部１５に、ＡＦ信号生成部１６から供給されるＡＦ信号の低周波性成分及び高周波成分を各々設定された増幅率で増幅させると共に増幅された各成分を混合させて、増幅されたＡＦ信号を生成させる。
【００５２】
ステップＳ１４では、ＡＦ機能がＯＮ状態に設定されているか否かを不図示の設定部の状態を参照することにより判定し、ＡＦ機能がＯＮ状態に設定されている場合はステップＳ１５に進み、ＯＦＦ状態に設定されている場合は処理を終了する。
【００５３】
ステップＳ１５では、ＡＦ部１４に、増幅されたＡＦ信号に基づいてＡＦ制御のための演算を実行させる。ステップＳ１６では、ステップＳ１５の演算結果に基づいて合焦状態であるか否かを判定し、合焦状態であれば処理を終了し、合焦状態でなければステップＳ１７に進む。
【００５４】
ステップＳ１７では、ＡＦ部１４に、ステップＳ１５の演算結果に従ってドライバ１１を制御させる。これにより、焦点調整用の移動レンズ１０４が駆動される。
【００５５】
［第２の実施の形態］
図７は、本発明の好適な第２の実施の形態に係る光学機器の一部を抽出した図である。この実施の形態に係る光学式器は、交換レンズ式のカメラに関し、レンズユニット１００とカメラユニット２００を結合した状態で使用される。なお、図１に示す第１の実施の形態に係る光学機器の構成要素と実質的に同様の機能を有する構成要素には同一の符号が付されている。
【００５６】
レンズユニット１００は、光学系１、駆動部８及び９、ドライバ４、１０及び１１、並びに、制御部７を有する。カメラユニット２００は、撮像素子２、アンプ１２、プロセス回路１３及びレンズ制御部２０を有する。レンズユニット１００の制御部７とカメラユニット２００のレンズ制御部２０とは、レンズ側接点２１及びカメラ側接点２２により連結され、互いに通信することができる。
【００５７】
カメラユニット２００のレンズ制御部２０は、プロセス回路１３等の出力信号（ＡＦ信号、輝度信号、絞り部材３を制御するための信号、ズーム用の移動レンズ１０２を制御するための信号、カメラユニット２００の種別を示す情報等を含む）をレンズユニット１００の制御部７に送信したり、レンズユニット１００の情報（例えば、レンズユニット１００の種別を示す情報等）を制御部７から受信したりする。
【００５８】
この実施の形態に係る増幅特性決定部１８は、第１の実施の形態で説明した機能以外に、例えば、カメラユニット２００の種別に応じて、増幅部１５に設定すべき増幅特性（例えば、低周波成分及び高周波成分の増幅率）を決定するための規則（例えば、テーブル）を変更する機能を有することが好ましい。これにより、レンズユニット１００とカメラユニット２００の各仕様に応じた最適なＡＦ制御等を実現することができる。
【００５９】
図６は、レンズユニット１００の制御部７の動作の流れを示すフローチャートである。この実施の形態に係る制御部７の動作は、ステップＳ１１において、輝度信号を接点２１及び２２並びにレンズ制御部２０を介してプロセス回路１３の輝度信号生成部１７から取得する点、及び、ステップＳ１３において、ＡＦ信号を接点２１及び２２並びにレンズ制御部２０を介してプロセス回路１３のＡＦ信号生成部１６から取得する点以外は、第１の実施の形態に係る制御部７の動作と実質的に同一である。
【００６０】
［第３の実施の形態］
図８は、本発明の好適な第３の実施の形態に係る光学機器の一部を抽出した図である。この実施の形態は、増幅部１５及び増幅特性決定部１８をカメラユニット２００側に設けた点で、第２の実施の形態に係る光学機器と相違する。この変更に伴い、レンズユニット１００の制御部７’内の増幅部１５及び増幅特性決定部１８が削除され、カメラユニット２００のレンズ制御部２０’内に増幅部１５及び増幅特性決定部１８が設けられている。
【００６１】
レンズユニット１００の制御部７’とカメラユニット２００のレンズ制御部２０’とは、レンズ側接点２１及びカメラ側接点２２により連結され、互いに通信することができる。
【００６２】
カメラユニット２００のレンズ制御部２０’は、プロセス回路１３のＡＦ信号生成部１６で生成されたＡＦ信号を増幅部１５で増幅したＡＦ信号、絞り部材３を制御するための信号、ズーム用の移動レンズ１０２を制御するための信号、カメラユニット２００の種別を示す情報等をレンズユニット１００の制御部７’に送信したり、レンズユニット１００の情報（例えば、レンズユニット１００の種別を示す情報等）を制御部７’から受信したりする。
【００６３】
この実施の形態に係る増幅特性決定部１８は、第１の実施の形態で説明した機能以外に、例えば、レンズユニット１００の種別に応じて、増幅部１５に設定すべき増幅特性（例えば、低周波成分及び高周波成分の増幅率）を決定するための規則（例えば、テーブル）を変更する機能を有することが好ましい。これにより、レンズユニット１００とカメラユニット２００の各仕様に応じた最適なＡＦ制御等を実現することができる。
【００６４】
図６は、レンズユニット１００の制御部７’とカメラユニット２００のレンズ制御部２０’とにより協同して制御される動作の流れを示すフローチャートである。ステップＳ１１〜Ｓ１３は、レンズ制御部２０’により実行され、ステップＳ１５〜Ｓ１７は、レンズ制御部２０’の制御の下で制御部７’により実行され、ステップＳ１４は、レンズ制御部２０’及び／又は制御部７’で実行される。
［他の実施の形態］
本発明の目的は、前述した実施形態の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム(OS)などが実際の処理の一部または全部を行い、その処理によって前述した実施形態の機能が実現される場合も含まれることは言うまでもない。
【００６５】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施形態の機能が実現される場合も含まれることは言うまでもない。
【００６６】
【発明の効果】
本発明によれば、例えば、被写体条件に影響されにくい自動焦点機能を実現することができる。
【図面の簡単な説明】
【図１】本発明の好適な第１の実施の形態に係る光学機器の一部を抽出した図である。
【図２】被写体が低輝度である場合において、増幅部がＡＦ信号を増幅する際の低周波成分の増幅率と高周波成分の増幅率との比率を説明するための図である。
【図３】被写体が高輝度である場合において、増幅部がＡＦ信号を増幅する際の低周波成分の増幅率と高周波成分の増幅率との比率を説明するための図である。
【図４】増幅特性決定部及び増幅部における処理を概念的に示す図である。
【図５】低周波成分用の増幅率及び高周波成分用の増幅率の設定例を示す図である。
【図６】ＡＦ制御の流れを示すフローチャートである。
【図７】本発明の好適な第２の実施の形態に係る光学機器の一部を抽出した図である。
【図８】本発明の好適な第３の実施の形態に係る光学機器の一部を抽出した図である。
【図１】
0004593702.tif 000002
【図２】
0004593702.tif 000003
【図３】
0004593702.tif 000004
【図４】
0004593702.tif 000005
【図５】
0004593702.tif 000006
【図６】
0004593702.tif 000007
【図７】
0004593702.tif 000008
【図８】
0004593702.tif 000009